(57)【要約】【課題】トラックの区切りの無い音声データと文字情報との多重化信号から復号された音声データにトラックの区切りを入れる。【解決手段】アンテナ１１で受信した信号は、チューナ回路１２及び復調・エラー訂正回路１３を介して多重データ分離回路１４に供給される。多重データ分離回路１４は、供給された信号を音声データと文字情報とにパッケト分離し、音声データ及び文字情報はマイクロコンピュータ３１に供給される。マイクロコンピュータ３１は、供給された音声データ及び文字情報に基づいて、トラックの情報がない音声データにトラックの区切りを入れる。【選択図】　図１
2004139660.tif 000002
【特許請求の範囲】
【請求項１】
音声データと文字情報とが多重化されている多重化信号を復調して得られた音声データについて、該音声データの無音状態を検出する無音状態検出手段と、
前記多重化信号を復調して得られた文字情報について、該文字情報の変化を検出する文字変化検出手段と、
検出された前記音声データの無音状態と文字情報の変化とに基づいて、音声データにトラックの区切りを入れるトラック区分手段と、
を備える多重化信号処理装置。
【請求項２】
多重化信号を受信し、受信した多重化信号を復調して音声データと文字情報を分離して、音声データを前記無音状態検出手段に供給し、文字情報を前記文字変化検出手段に提供する受信再生手段、
をさらに備えることを特徴とする請求項１に記載の多重化信号処理装置。
【請求項３】
前記無音状態検出手段は、音声データの無音状態の終了タイミングを検出する手段を備え、
前記文字変化検出手段は、文字情報の変化タイミングを検出する手段を備え、
前記トラック区分手段は、前記音声データの無音状態の終了タイミングと文字情報の変化タイミングとに基づいて音声データにトラックの区切りを入れる手段を備える、
ことを特徴とする請求項１又は２に記載の多重化信号処理装置。
【請求項４】
前記トラック区分手段は、無音状態の終了タイミングの前に文字情報の変化タイミングがあるときには、文字情報の変化タイミングでトラックの区切りを入れる、
ことを特徴とする請求項１乃至３のいずれか１項に記載の多重化信号処理装置。
【請求項５】
前記トラック区分手段は、無音状態の終了タイミングの後に文字情報の変化タイミングがあるときには、無音状態の終了タイミングの所定時間前のタイミングでトラックの区切りを入れる、
ことを特徴とする請求項１乃至４のいずれか１項に記載の多重化信号処理装置。
【請求項６】
前記無音状態検出手段は、音声データの無音状態の開始タイミングを検出する手段をさらに備え、
前記トラック区分手段は、無音状態の終了タイミングの後に文字情報の変化タイミングがあるときは、無音状態の開始タイミングと無音状態の終了タイミングとの間の所定のタイミングでトラックの区切りを入れる、
ことを特徴とする請求項５に記載の多重化信号処理装置。
【請求項７】
前記トラック区分手段によりトラックの区切りが入れられた音声データを、トラックごとにメモリに記憶させる記憶手段をさらに備える、
ことを特徴とする請求項１乃至６いずれか１項に記載の多重化信号処理装置。
【請求項８】
前記記憶手段は、前記トラック区分手段によりトラックの区切りが入れられた音声データに、トラック番号を設定し、文字情報に基づいた情報を設定してメモリに記憶させる手段をさらに備える、
ことを特徴とする請求項６に記載の多重化信号処理装置。
【請求項９】
前記記憶手段により設定されたトラック番号と情報とを表示する表示手段と、
前記表示手段に表示されたトラック番号と情報との対のうちから、ユーザが保存したいものを選択する選択手段と、
前記選択手段により選択されたトラック番号と情報に対応する音声データと対となるトラック番号及び情報とを、記憶媒体に保存する保存手段とを備える、
ことを特徴とする請求項８に記載の多重化信号処理装置。
【請求項１０】
前記メモリに記憶されたデータの総数又は総量が、基準値に達した場合に、前記選択手段による選択を指示する指示手段を備える、
ことを特徴とする請求項９に記載の多重化信号処理装置。
【請求項１１】
前記メモリに記憶されたデータの総数又は総量が、基準値を超える場合に、前記メモリに記憶されたデータを、古いデータから順に削除し、前記メモリ内のデータを整理する整理手段を備える、
ことを特徴とする請求項８、９又は１０に記載の多重化信号処理装置。
【請求項１２】
音声データと文字情報とが多重化されている多重化信号から再生された音声データについて、無音状態を検出する無音状態検出工程と、
前記多重化信号から再生された文字情報について、該文字情報の変化を検出する文字変化検出工程と、
検出された前記音声データの無音状態と文字情報の変化とに基づいて、音声データにトラックの区切りを入れる工程と、
を備える多重化信号処理方法。
【請求項１３】
コンピュータを、
音声データと文字情報とが多重化されている多重化信号を復調して得られた音声データについて、無音状態を検出する無音状態検出手段、
前記多重化信号を復調して得られた文字情報について、該文字情報の変化を検出する文字変化検出手段、
検出された無音状態と文字情報の変化とに基づいて、音声データにトラックの区切りを入れるトラック区分手段、
として機能させるコンピュータプログラム。
【発明の詳細な説明】
【０００１】
【発明の属する技術分野】
この発明は、多重化信号処理装置及び多重化信号処理方法に関する。
【０００２】
【従来の技術】
ＣＤ（Ｃｏｍｐａｃｔ　Ｄｉｓｃ）などトラック情報を有するメディアからＭＤ（Ｍｉｎｉ　Ｄｉｓｃ）等に、音楽データを録音する場合、ＣＤのトラック情報（ＴＯＣ情報；ＴａｂｌｅＯｆ　Ｃｏｎｔｅｎｔｓ　情報）はＭＤに記録される。記録されたトラック情報により、ユーザはＭＤに記録されている曲を簡単に検索することができる。
【０００３】
一方、トラック情報のないデジタル放送の音声データなどをＣＤ−Ｒ（ＣＤ−Ｒｅｃｏｒｄａｂｌｅ）、ＭＤ等に録音した場合、録音されたＣＤ−Ｒ，ＭＤ等にもトラック情報はなく、曲を検索することは容易ではない。曲の検索を容易にするためには、ユーザ自ら曲の区切り毎にトラックの情報を上記ＣＤ−Ｒ、ＭＤ等に記録しなければならず、面倒であった。
【０００４】
上記の欠点を解決するために、ＦＭ多重放送の音声情報のみに基づいて音楽にトラックの区切りを自動的に入れる手法が提案されている（特許文献１参照）。
しかし、この特許文献１の説明では、どのように曲間を検知するのかが不明確であり、トラックの区切りを正確に検出できず、音楽の曲間にトラック情報を確実に入れることができない。
【０００５】
【特許文献１】
特開平０９−３２６１８８号公報（第３頁、図２）
【０００６】
【発明が解決しようとする課題】
本発明は、上記の欠点を解決するためになされたものであって、トラックの区切りの無い音声データと文字情報との多重化信号から復号された音声データにトラックの区切りを入れることが可能な多重化信号処理装置及び多重化信号処理
方法を提供することを目的とする。
【０００７】
【課題を解決するための手段】
上記目的を達成するため、本発明の第１の観点に係る多重化信号処理装置は、
音声データと文字情報とが多重化されている多重化信号を復調して得られた音声データについて、該音声データの無音状態を検出する無音状態検出手段と、
前記多重化信号を復調して得られた文字情報について、該文字情報の変化を検出する文字変化検出手段と、
検出された前記音声データの無音状態と文字情報の変化とに基づいて、音声データにトラックの区切りを入れるトラック区分手段と、
を備える。
【０００８】
また、前記多重化信号処理装置は、
多重化信号を受信し、受信した多重化信号を復調して音声データと文字情報を分離して、音声データを前記無音状態検出手段に供給し、文字情報を前記文字変化検出手段に提供する受信再生手段を備えてもよい。
【０００９】
さらに、前記無音状態検出手段は、音声データの無音状態の終了タイミングを検出する手段を備え、
前記文字変化検出手段は、文字情報の変化タイミングを検出する手段を備え、
前記トラック区分手段は、前記音声データの無音状態の終了タイミングと文字情報の変化タイミングとに基づいて音声データにトラックの区切りを入れる手段を備えてもよい。
【００１０】
またさらに、前記トラック区分手段は、無音状態の終了タイミングの前に文字情報の変化タイミングがあるときには、文字情報の変化タイミングでトラックの区切りを入れてもよい。
【００１１】
さらにまた、前記トラック区分手段は、無音状態の終了タイミングの後に文字情報の変化タイミングがあるときには、無音状態の終了タイミングの所定時間前のタイミングでトラックの区切りを入れてもよい。
【００１２】
また、前記無音状態検出手段は、音声データの無音状態の開始タイミングを検出する手段をさらに備え、
前記トラック区分手段は、無音状態の終了タイミングの後に文字情報の変化タイミングがあるときは、無音状態の開始タイミングと無音状態の終了タイミングとの間の所定のタイミングでトラックの区切りを入れてもよい。
【００１３】
さらに、前記多重化信号処理装置は、
前記トラック区分手段によりトラックの区切りが入れられた音声データを、トラックごとにメモリに記憶させる記憶手段を備えてもよい。
【００１４】
またさらに、前記記憶手段は、前記トラック区分手段によりトラックの区切りが入れられた音声データに、トラック番号を設定し、文字情報に基づいた情報を設定してメモリに記憶させる手段を備えてもよい。
【００１５】
さらにまた、前記多重化信号処理装置は、
前記記憶手段により設定されたトラック番号と情報とを表示する表示手段と、
前記表示手段に表示されたトラック番号と情報との対のうちから、ユーザが保存したいものを選択する選択手段と、
前記選択手段により選択されたトラック番号と情報に対応する音声データと対となるトラック番号及び情報とを、記憶媒体に保存する保存手段とを備えてもよい。
【００１６】
また、前記多重化信号処理装置は、
前記メモリに記憶されたデータの総数又は総量が、基準値に達した場合に、前記選択手段による選択を指示する指示手段を備えてもよい。
【００１７】
さらに、前記多重化信号処理装置は、
前記メモリに記憶されたデータの総数又は総量が、基準値を超える場合に、前記メモリに記憶されたデータを、古いデータから順に削除し、前記メモリ内のデータを整理する整理手段を備えてもよい。
【００１８】
上記目的を達成するため、本発明の第２の観点に係る多重化信号処理方法は、
音声データと文字情報とが多重化されている多重化信号から再生された音声データについて、無音状態を検出する無音状態検出工程と、
前記多重化信号から再生された文字情報について、該文字情報の変化を検出する文字変化検出工程と、
検出された前記音声データの無音状態と文字情報の変化とに基づいて、音声データにトラックの区切りを入れる工程と、
を備える。
【００１９】
上記目的を達成するため、本発明の第３の観点に係るコンピュータプログラムは、
コンピュータを、
音声データと文字情報とが多重化されている多重化信号を復調して得られた音声データについて、無音状態を検出する無音状態検出手段、
前記多重化信号を復調して得られた文字情報について、該文字情報の変化を検出する文字変化検出手段、
検出された無音状態と文字情報の変化とに基づいて、音声データにトラックの区切りを入れるトラック区分手段、
として機能させる。
【００２０】
【発明の実施の形態】
本発明の実施の形態のデジタル放送受信機について図面を参照して説明する。
【００２１】
デジタル放送受信機１は、図１に示すように、アンテナ１１と、チューナ回路１２と、復調・エラー訂正回路１３と、多重データ分離回路１４と、音声復号化回路１５と、アンプ２１Ｌ、２１Ｒと、スピーカ２２Ｌ、２２Ｒと、マイクロコンピュータ３１と、マイクロコンピュータ３１に内蔵されたタイマ回路３１１及びバッファメモリ３１２と、メモリ３２と、ハードディスク装置３３と、表示部３４と、操作部３５とより構成される。
【００２２】
アンテナ１１は、放送信号を受信し、チューナ回路１２に供給する。
【００２３】
チューナ回路１２は、アンテナ１１に接続されており、マイクロコンピュータ３１から供給される選択指示信号に従って同調周波数を変更し、デジタル放送信号のアンサンブルを選択する。さらに、チューナ回路１２は、選択したアンサンブルから、デジタル放送のベースバンド信号を復調して出力する。
【００２４】
復調・エラー訂正回路１３は、チューナ回路１２から供給されるベースバンド信号にＤＱＰＳＫ（Ｄｉｆｆｅｒｅｎｔｉａｌ　Ｑｕｅｄｒａｔｕｒｅ　Ｐｈａｓｅ　Ｓｈｉｆｔ　Ｋｅｙｉｎｇ）等の復調処理を施した後、エラーを訂正し、元のＭＰＥＧ（Ｍｏｔｉｏｎ　Ｐｉｃｔｕｒｅ　Ｅｘｐｅｒｔｓ　Ｇｒｏｐｅ）のビットストリーム信号に戻して出力する。
【００２５】
多重データ分離回路１４は、復調・エラー訂正回路１３から供給されるビットストリーム信号の中のパケットヘッダを検出し、検出したパケットヘッダに基づいて、パケットの種類を識別する。多重データ分離回路１４は、パケットの種類に基づいて、ビットストリームを音声データのパケットと文字情報のパケットとＳＩ（Ｓｅｒｖｉｃｅ　Ｉｎｆｏｒｍａｔｉｏｎ）情報のパケットとに分離する。多重データ分離回路１４は、音声データを音声復号化回路１５に、音声データ、文字情報及びＳＩ情報をマイクロコンピュータ３１に供給する。また、多重データ分離回路１４は、マイクロコンピュータ３１から供給される選択信号により目的とするサービスコンポネント（番組）の音声データを選択する。
【００２６】
音声復号化回路１５は、音声デコード回路及びＤ／Ａ（Ｄｉｇｉｔａｌ／Ａｎａｌｏｇ）コンバータ回路から構成されて、多重データ分離回路１４から供給される音声データをデコード処理するとともにアナログ変換して出力する。
【００２７】
アンプ２１Ｌ、２１Ｒは、音声復号化回路１５から供給される信号を増幅する。スピーカ２２Ｌ、２２Ｒは、アンプ２１Ｌ、２１Ｒから供給される音声信号を再生する。
【００２８】
マイクロコンピュータ３１は、システム制御用のもので、ＣＰＵ（Ｃｅｎｔｒａｌ　Ｐｒｏｃｅｓｓｉｎｇ　Ｕｎｉｔ）、ＲＯＭ（Ｒｅａｄ　Ｏｎｌｙ　Ｍｅｍｏｒｙ）等から構成される。このマイクロコンピュータ３１は、チューナ回路１２にアンサンブルを選択するための前述の選択指示信号を供給する。また、マイクロコンピュータ３１は、多重データ分離回路１４に前述の選択信号を供給する。
【００２９】
また、マイクロコンピュータ３１は、音声データにトラックの区切りを入れるために必要な音声データの無音状態の開始タイミング、終了タイミングと文字情報の変化タイミングとを検出する。このマイクロコンピュータ３１は、タイマ回路３１１を内蔵し、このタイマ回路３１１により各タイミングの先後を判別する。
【００３０】
マイクロコンピュータ３１は、バッファメモリ３１２を内蔵する。このバッファメモリ３１２は、ＲＡＭ（Ｒａｍｄｏｍ　Ａｃｃｅｓｓ　Ｍｅｍｏｒｙ）等から構成され、多重データ分離回路１４から供給される音声データ及び文字情報等を格納する。
【００３１】
メモリ３２は、半導体メモリ等から構成される書換え可能なメモリである。このメモリ３２は、マイクロコンピュータ３１によりトラックの区切りを入れられた音声データを録音する。
【００３２】
ハードディスク装置３３は、マイクロコンピュータ３１の制御下に、受信した音声データ等を保存する。
【００３３】
表示部３４は、ＬＣＤ（液晶ディスプレイ）等から構成されており、マイクロコンピュータ３１の制御に従って、様々な情報を表示する。
【００３４】
操作部３５は、押しボタン等から構成されて、マイクロコンピュータ３１に制御されている。この操作部３５により、ユーザは、マイクロコンピュータ３１に種々の指示、例えば、サービスコンポーネント、保存したい音声データ等を指示することができる。
【００３５】
前記構成を有するデジタル放送受信機１の受信・再生・記録動作について説明する。
【００３６】
まず、ユーザは、操作部３５を操作してデジタル放送の受信と受信したいサービスコンポーネントとをマイクロコンピュータ３１に指示する。
【００３７】
ユーザからの指示に基づいて、マイクロコンピュータ３１は、チューナ回路１２に指示されたサービスコンポーネントに対応する受信周波数を指示する選択指示信号を出力する。また、多重データ分離回路１４に指示されたサービスコンポーネントに対応する選択信号を供給する。
【００３８】
チューナ回路１２は、アンテナ１１が受信した信号のうち、マイクロコンピュータ３１から出力された選択指示信号に指示された周波数の信号に同調して抽出する。
【００３９】
この抽出された信号は復調・エラー訂正回路１３で復調及びエラー訂正された後、多重データ分離回路１４に供給される。多重データ分離回路１４は、供給された信号を音声データと文字情報とＳＩ信号とにパッケト分離する。さらに、多重データ分離回路１４は、マイクロコンピュータ３１から供給された選択信号に基づき、パケット分離された音声データから、目的とするサービスコンポネント（番組）の音声データを選択する。選択された音声データは音声復号化回路１５及びマイクロコンピュータ３１に供給され、文字情報及びＳＩ信号はマイクロコンピュータ３１に供給される。
【００４０】
音声復号化回路１５に供給された音声データは、デコード処理及びアナログ変換される。音声復号化回路１５から供給されたアナログ信号はアンプ２１Ｌ、２１Ｒを通じてスピーカ２２Ｌ、２２Ｒに供給され、音声を再生する。
【００４１】
また、ユーザが操作部３５を操作して受信した音声をメモリ３２に録音することを指示すると、マイクロコンピュータ３１は、図２のフローチャートに示す録音処理を開始する。この録音動作は、音声データに頭切れを起こすことなく自動的にトラックの区切りを入れ、トラック番号及び音声情報を設定して、音声データをトラックごとにメモリ３２に録音させる動作である。
【００４２】
録音処理が開始すると、マイクロコンピュータ３１は、タイマ回路３１１を起動し、多重データ分離回路１４から受信中常時供給されている音声データと文字情報とを、図３（ａ）、（ｂ）に示すようにタイマ回路３１１のカウント値と対応付けてバッファメモリ３１２に順次格納する処理を開始する（ステップＳ２０１）。
【００４３】
また、マイクロコンピュータ３１は、音声データの無音状態の開始タイミング及び終了タイミングと文字情報の変化タイミングとを検出するため、バッファメモリ３１２内に図４に示す変化検出テーブルを作成する。この変化検出テーブル（図４）は、現時点のカウント値とその１つ前のカウント値とに対応する音声データの有音、無音状態及び文字情報から形成され、カウントが変化するごとに更新される。
【００４４】
マイクロコンピュータ３１は、変化検出テーブル（図４）から、音声データが有音状態から無音状態に変化したか否かを判別する（ステップＳ２０２）。
【００４５】
マイクロコンピュータ３１は、音声データが有音状態から無音状態に変化するまで変化検出テーブルを監視し続ける（ステップＳ２０２にてＮＯ）。
【００４６】
一方、音声データが無音状態に変化したと判別した場合（ステップＳ２０２にてＹＥＳ）、マイクロコンピュータ３１は、無音状態の開始タイミングを変化検出テーブルから検出し、開始タイミングのカウント値をバッファメモリ３１２に記憶する（ステップＳ２０３）。
【００４７】
次に、マイクロコンピュータ３１は、変化検出テーブル（図４）から、音声データが無音状態から再び有音状態に変化したか否か（ステップＳ２０４）、及び文字情報が変化したか否か（ステップＳ２０５）を判別し、音声データと文字情報とのどちらが先に変化したかも検出する。
【００４８】
マイクロコンピュータ３１は、音声データ又は文字情報が変化するまで変化検出テーブルを監視し続ける（ステップＳ２０４にてＮＯ、ステップＳ２０５にてＮＯ）。
【００４９】
変化検出テーブル（図４）で音声データが先に変化したと判別された場合（ステップＳ２０４にてＹＥＳ）、マイクロコンピュータ３１は、音声データが有音状態に変化したタイミング、すなわち無音状態の終了タイミングを検出し、終了タイミングのカウント値をバッファメモリ３１２に記憶する（ステップＳ２０６）。
【００５０】
マイクロコンピュータ３１は、バッファメモリ３１２に記憶されたカウント値を基に、無音状態の開始タイミングと終了タイミングとの中間となるタイミングで音声データにトラックの区切りを入れる（ステップＳ２０７）。
【００５１】
例えば、図３（ａ）の場合、無音状態の終了タイミング（カウント値８）は文字情報の変化タイミング（カウント値９）より先なので、マイクロコンピュータ３１は、無音状態の開始タイミング（カウント値６）と終了タイミング（カウント値８）との中間となるタイミング（カウント値７）で音声データにトラックの区切りを入れる。
【００５２】
一方、変化検出テーブル（図４）で文字情報が先に変化したと判別された場合（ステップＳ２０４にてＮＯ及びステップＳ２０５にてＹＥＳ）、マイクロコンピュータ３１は、文字情報の変化タイミングを検出し、文字情報の変化タイミングのカウント値をバッファメモリ３１２に記憶する（ステップＳ２０８）。
【００５３】
マイクロコンピュータ３１は、バッファメモリ３１２に記憶されたカウント値を基に、文字情報の変化タイミングで音声データにトラックの区切りを入れる（ステップＳ２０９）。
【００５４】
例えば、図３（ｂ）の場合、文字情報の変化タイミング（カウント値２７）は、無音状態終了タイミング（カウント値２８）より先なので、マイクロコンピュータ３１は、文字情報の変化タイミングのカウント値２７で音声データにトラックの区切りを入れる。
【００５５】
マイクロコンピュータ３１は、ステップＳ２０７又はステップＳ２０９でトラックの区切りを入れられた音声データにトラック番号を設定する。さらに、マイクロコンピュータ３１は、無音状態開始タイミングでのカウント値に対応する文字情報の楽曲タイトルや演奏者名等を検出し、この楽曲タイトルや演奏者名等をトラックの区切りを入れられた音声データの音声情報として設定する（ステップＳ２１０）。
【００５６】
例えば、図３（ａ）の場合、音声Ａの音声情報は、「ソーラン節」と設定され、図３（ｂ）の場合、音声Ｃの音声情報は、「江差追節」に設定される。
【００５７】
マイクロコンピュータ３１は、音声データをトラック番号及び情報とともにトラックごとにメモリ３２に録音させる（ステップＳ２１１）。さらに、マイクロコンピュータ３１は、図５に示す録音情報を作成する。この録音情報（図５）は、図６（ａ）に示すように、表示部３４に表示される。
【００５８】
このようにして、音声データに頭切れを起こすことなく自動的にトラックの区切りを入れ、トラック番号及び音声情報を設定して、音声データをトラックごとにメモリ３２に録音させることができる。また、図６（ａ）に示すように表示部３４に録音情報が表示されるので、ユーザはメモリ３２に録音された音声データの内容を容易に知ることができる。さらに、ユーザは、図６（ｂ）に示すように、表示部３４に表示される録音情報を基に保存したい音声データを操作部３５において選択することができる。
【００５９】
また、前記録音動作により、メモリ３２に音声データが録音されると、図７のフローチャートに示すデータ整理処理を開始する。このデータ整理システムは、メモリ３２に録音された音声データの総数又は総量が基準値を超える場合に、マイクロコンピュータ３１は、ユーザに音声データをハードディスク装置３３に保存することを指示し、ユーザが保存したデータをメモリ３２内から削除することにより、メモリ３２内の音声データを整理する動作である。
【００６０】
整理処理が開始されると、マイクロコンピュータ３１は、メモリ３２に録音された音声データの総数、総量が基準値に達したか否かを判別する（ステップＳ３０１）。
【００６１】
メモリ３２に音声データを録音できる総数、総量がまだある場合、マイクロコンピュータ３１は、基準値に達するまでメモリ３２を監視し続ける（ステップＳ３０１にてＮＯ）。
【００６２】
一方、基準値に達した場合（ステップＳ３０１にてＹＥＳ）、マイクロコンピュータ３１は、図６（ｃ）に示すようにメモリ３２に録音された音声データのうちハードディスク装置３３に保存したい音声データを選択すべき旨のメッセージを表示部３４に表示する（ステップＳ３０２）。
【００６３】
ユーザは、自発的に又はこのマイクロコンピュータ３１のメッセージに対し、図６（ｂ）に示すように表示部３４に表示される録音情報を基に保存したい音声データを操作部３５において選択する（ステップＳ３０３）。
【００６４】
ユーザが保存したい音声データを選択した場合（ステップＳ３０３にてＹＥＳ）、マイクロコンピュータ３１は、選択された音声データをハードディスク装置３３に保存し、図８に示す保存情報を作成する（ステップＳ３０４）。また、マイクロコンピュータ３１は、該保存したデータをメモリ３２から削除する（ステップＳ３０５）。
【００６５】
一方、ユーザがマイクロコンピュータ３１の指示を無視した場合（ステップＳ３０３にてＮＯ）、マイクロコンピュータ３１はメモリ３２内の音声データを古いデータから順に削除する（ステップＳ３０６）。
【００６６】
このようにして、メモリ３２に録音された音声データの総数又は総量が基準値を超える場合に、マイクロコンピュータ３１は、ユーザに音声データをハードディスク装置３３に保存することを指示し、ユーザが保存したデータをメモリ３２内から削除することにより、メモリ３２内の音声データを整理することができる。また、ユーザがマイクロコンピュータ３１の指示を無視した場合でも、マイクロコンピュータ３１はメモリ３２内の音声データを古いデータから順に削除するため、メモリ３２内の音声データを整理することができる。
【００６７】
なお、本発明は、上記実施の形態に限定されず、種々の変形及び応用が可能である。
上記実施例はデジタル放送受信機に関するものであるが、他の多重信号処理装置、例えば、地上波放送受信機、ケーブルテレビ放送受信機、インターネット放送受信機、ＦＭ多重放送受信機等にも適用可能である。
【００６８】
上記実施の形態のデジタル放送受信機は、受信部と信号処理部とが一体となった装置であるが、本発明はこれに限定されず受信部と信号処理部とが別体となった装置でもよい。すなわち、多重化信号を受信・復調する受信装置と、受信・復調された信号の供給を受けて、トラックを区切り、録音を行う信号処理装置とが別体の構成とされてもよい。例えば、上記実施の形態において、受信部で受信・復調された信号を、上記信号処理を行うアプリケーションプログラムがインストールされたコンピュータに供給し、コンピュータで処理を担当してもよい。
【００６９】
本発明の処理対象の信号は、放送信号に限定されず、音声データと文字情報とがある程度同期されていて、多重化されていている信号ならばよい。
【００７０】
また、上記実施の形態において、マイクロコンピュータ３１が、音声データ及び文字情報の変化タイミングを検出し、タイマ回路３１１のカウント値に基づいて、それらのタイミングの前後関係を判別しているが、本発明はこれに限定されず、タイミングを検出して、その前後関係を判別できるなら、タイミングの検出手法や、前後の判別手法は任意である。例えば、一旦バッファメモリ３１２に音声データと文字情報とを格納し、格納されている音声データと文字情報とを先頭方向から順番に読み取って、変化タイミングを検出し、その前後関係から区切りを入れるようにしてもよい。
【００７１】
なお、上記実施例において、記憶媒体としてハードディスク装置３３を用いたが、他の記憶媒体によっても代用可能である。
例えば、ＭＤ、ＣＤ−Ｒ、ＣＤ−ＲＷ（ＣＤ−ＲｅＷｈｉｔａｂｌｅ）、ＤＶＤ−ＲＡＭ（Ｄｉｇｉｔａｌ　Ｖｅｒｓａｔｉｌｅ　Ｄｉｓｋ−ＲＡＭ）、ＤＶＤ−Ｒ、ＤＶＤ−ＲＷ、ＤＶＤ＋Ｒ、ＤＶＤ＋ＲＷ等を記憶媒体として使用することもできる。
【００７２】
また、一旦ハードディスク装置３３に保存させた音声データを他の記憶媒体、例えば、ＭＤ、ＣＤ−Ｒ、ＣＤ−ＲＷ、ＤＶＤ−ＲＡＭ、ＤＶＤ−Ｒ、ＤＶＤ−ＲＷ、ＤＶＤ＋Ｒ、ＤＶＤ＋ＲＷ等に転送してもよい。
【００７３】
【発明の効果】
本発明により、トラックの区切りの無い音声データと文字情報との多重化信号から復号された音声データにトラックの区切りを入れることが可能な多重化信号処理装置及び多重化信号処理方法を提供することができる。
【図面の簡単な説明】
【図１】本発明の実施の形態であるデジタル放送受信機のブロック図である。
【図２】マイクロコンピュータが音声データにトラックの区切りを入れ、音声データのトラック番号及び音楽情報を設定して、メモリに録音する動作を説明するためのフローチャート図である。
【図３】タイマ回路のカウント値と対応付けてバッファメモリに格納された音声データと文字情報とを示すフォーマット図である。
【図４】音声データと文字情報との変化の先後を判別するための変化検出テーブルのフォーマットを示す図である。
【図５】メモリ内に記憶された音声情報の録音情報を示すフォーマット図である。
【図６】音声データの総数、総量が基準値に達したときに、表示部に表示される画面の図である。
【図７】メモリ内の音声データを整理する動作を説明するためのフローチャート図である。
【図８】ハードディスク装置内に保存された音声情報の保存情報を示すフォーマット図である。
【符号の説明】
１　　　デジタル放送受信機
１４　　多重データ分離回路
３１　　マイクロコンピュータ
３１１　タイマ回路
３１２　バッファメモリ
３２　　メモリ
３３　　ハードディスク装置
３４　　表示部
３５　　操作部
【図１】
2004139660.tif 000003
【図２】
2004139660.tif 000004
【図３】
2004139660.tif 000005
【図４】
2004139660.tif 000006
【図５】
2004139660.tif 000007
【図６】
2004139660.tif 000008
【図７】
2004139660.tif 000009
【図８】
2004139660.tif 000010